(57)【要約】【課題】収納容器内の液状薬剤を使い切ることができる揮散装置を提供することを目的とする。【解決手段】開口部４０ａと開口部４０ａを塞ぐ蓋部４１とを有して内部に液状の液状薬剤５０を密封する収納容器４０と、収納容器４０から供給される液状薬剤５０を溜める受皿部１０と、受皿部１０に溜めた液状薬剤５０に底部が浸漬される含浸体３０とを備えた揮散装置１において、受皿部１０が底面と開口部４０ａとの間に隙間を有して収納容器４０を倒立した状態で保持する保持部１４と、保持部１４内に立設する突出部１４ｃとを有し、収納容器４０を保持部１４により保持した際に突出部１４ｃが蓋部４１の一部を破断して受皿部１０に液状薬剤５０が流出する。【選択図】図７
2014014542.tif 000002
【特許請求の範囲】
【請求項１】
開口部と前記開口部を塞ぐ蓋部とを有して内部に液状の液状薬剤を密封する収納容器と、前記収納容器から供給される液状薬剤を溜める受皿部と、前記受皿部に溜めた液状薬剤に底部が浸漬される含浸体とを備えた揮散装置において、前記受皿部が底面と前記開口部との間に隙間を有して前記収納容器を倒立した状態で保持する保持部と、前記保持部内に立設する突出部とを有し、前記収納容器を前記保持部により保持した際に前記突出部が前記蓋部の一部を破断して前記受皿部に液状薬剤が流出することを特徴とする揮散装置。
【請求項２】
前記収納容器が前記開口部を開口する筒状の注出部を先端に有し、前記保持部が前記注出部に嵌合する周壁と、底面から突出して前記開口部の周縁が載置される凸部とを有することを特徴とする請求項１に記載の揮散装置。
【請求項３】
前記蓋部はバリア層を含む積層体から成るとともに前記開口部が円形に形成され、前記突出部の先端は前記保持部を形成する前記周壁に囲まれる領域の中心点からずれて配されることを特徴とする請求項２に記載の揮散装置。
【請求項４】
前記蓋部はバリア層を含む積層体から成るとともに前記突出部は先端が尖状に形成されることを特徴とする請求項１又は請求項２に記載の揮散装置。
【請求項５】
前記蓋部は樹脂成型品から成り、厚み方向に一部を薄肉とした薄肉部を有することを特徴とする請求項１又は請求項２に記載の揮散装置。
【請求項６】
前記受皿部の底面は傾斜して形成され、前記含浸体が配される側が前記保持部側より低い位置に配されることを特徴とする請求項１〜請求項５のいずれかに記載の揮散装置。
【請求項７】
前記受皿部、前記収納容器、前記含浸体を覆うカバーを備え、前記カバーには揮散した液状薬剤を外部に放出する窓部を備えることを特徴とする請求項１〜請求項６のいずれかに記載の揮散装置。
【発明の詳細な説明】
【技術分野】
【０００１】
本発明は含浸体が吸い上げた液状の芳香剤、消臭剤などの揮発性を有する薬剤を気化して周囲に有効成分を揮散させる揮散装置に関する。
【背景技術】
【０００２】
従来の揮散装置が特許文献１に開示される。この収納容器は上部に開口部を有し、内部に液状の液状薬剤が充填されている。また、開口部から収納容器の内部に下方に延びる芯材を有し、芯材の下端は液状薬剤に浸漬している。これにより、芯材が毛細管現象により液状薬剤を容器上部に吸い上げて、容器外部に液状薬剤が揮散する。
【先行技術文献】
【特許文献】
【０００３】
【特許文献１】特開２００６−２８２２３８号公報
【発明の概要】
【発明が解決しようとする課題】
【０００４】
しかしながら、上記従来の揮散装置によると、収納容器内の液状薬剤が減って液状薬剤の水面が芯材の下端より下がった場合、収納容器の下部に液状薬剤が残る問題があった。
【０００５】
本発明は上記問題点に鑑み、収納容器内の液状薬剤を確実に使い切ることができる揮散装置を提供することを目的とする。
【課題を解決するための手段】
【０００６】
上記目的を達成するために本発明は、開口部と前記開口部を塞ぐ蓋部とを有して内部に液状の液状薬剤を密封する収納容器と、前記収納容器から供給される液状薬剤を溜める受皿部と、前記受皿部に溜めた液状薬剤に底部が浸漬される含浸体とを備えた揮散装置において、前記受皿部が底面と前記開口部との間に隙間を有して前記収納容器を倒立した状態で保持する保持部と、前記保持部内に立設する突出部とを有し、前記収納容器を前記保持部により保持した際に前記突出部が前記蓋部の一部を破断して前記受皿部に液状薬剤が流出することを特徴としている。
【０００７】
この構成によると、収納容器を保持部にセットする際に突出部が蓋部の一部を破断して受皿部の内部に液状薬剤が注入される。受皿部に溜まった液状薬剤の一部は含浸体に含浸されるとともに一部は受皿部に溜まる。保持部にセットされた収納容器の開口部は支持板の上面との間に所定幅の隙間が形成され、受皿部の内部に注入された液状薬剤の水位は開口部の高さまで上昇する。このとき、溜まった液状薬剤が開口部（蓋部の破断部分）を塞いで収納容器の内部に入る空気を遮断する。これにより、開口部から受皿部への液状薬剤の注入が停止される。含浸体は液状薬剤を揮散させながら毛細管現象により受皿部に溜まる液状薬剤を吸い上げる。これにより、受皿部に溜まった液状薬剤の水位が低下して開口部と液状薬剤の水面との間に隙間が形成される。そして、隙間から収納容器の内部に空気が送り込まれて液状薬剤の水位が開口部の高さに上昇するまで収納容器から液状薬剤が注入される。これにより、収納容器の液状薬剤が無くなるまで受皿部に液状薬剤が常に補充され続ける。
【０００８】
また本発明は、上記構成の揮散装置において、前記収納容器が前記開口部を開口する筒状の注出部を先端に有し、前記保持部が前記注出部に嵌合する周壁と、底面から突出して前記開口部の周縁が載置される凸部とを有することを特徴としている。この構成によると、開口部を下方に向けて収納容器を倒立させた状態で注出部を保持部に挿入することにより、開口部の周縁が凸部の上面に当接する。これにより、受皿部の底面と開口部との間に隙間が形成される。
【０００９】
また本発明は、上記構成の揮散装置において、前記蓋部はバリア層を含む積層体から成るとともに前記開口部が円形に形成され、前記突出部の先端は前記保持部を形成する前記周壁に囲まれる領域の中心点からずれて配されることを特徴としている。この構成によると、使用者が保持部に挿嵌された収納容器を周方向に回転すると蓋部に環状の切れ込みが入って蓋部が大きく開裂する。これにより、収納容器内に多くの空気が送り込まれて受皿部に注入される液状薬剤の流量が増加する。したがって、収納容器の開封から含浸体に液状薬剤が含浸されるまでの時間が短縮される。
【００１０】
また本発明は、上記構成の揮散装置において、前記蓋部はバリア層を含む積層体から成るとともに前記突出部は先端が尖状に形成されることを特徴としている。この構成によると、収納容器を保持部にセットする際、突出部の先端が積層体を貫通して蓋部を破断する。また、蓋部がバリア層を含む積層体から成るため、蓋部が開封される前、収納容器内部に密封された液状薬剤の酸化及び劣化が防止される。
【００１１】
また本発明は、上記構成の揮散装置において、前記蓋部は樹脂成型品から成り、厚み方向に一部を薄肉とした薄肉部を有することを特徴としている。この構成によると、収納容器を保持部にセットする際、突出部に蓋部を押圧することにより、蓋部が容易に破断する。
【００１２】
また本発明は、上記構成の揮散装置において、前記受皿部の底面は傾斜して形成され、前記含浸体が配される側が前記保持部側より低い位置に配されることを特徴としている。この構成によると、受皿部に注入された液状薬剤が含浸体側に流れる。
【００１３】
また本発明は、上記構成の揮散装置において、前記受皿部、前記収納容器、前記含浸体を覆うカバーを備え、前記カバーには揮散した液状薬剤を外部に放出する窓部を備えることを特徴としている。この構成によると、受皿部及び含浸体に埃などが付着するのを防止される。
【発明の効果】
【００１４】
本発明によると、収納容器を保持部にセットする際に突出部が蓋部の一部を破断して周壁に囲まれた受皿部の内部に液状薬剤が注入される。注入された液状薬剤の揮発により、受皿部に溜まった液状薬剤の水位が低下して開口部と液状薬剤の水面との間に隙間が形成される。そして、隙間から収納容器の内部に空気が送り込まれて液状薬剤の水位が開口部の高さに上昇するまで収納容器から液状薬剤が注入される。これにより、収納容器の液状薬剤が無くなるまで受皿部に液状薬剤が常に補充され続ける。したがって、収納容器に充填された液状薬剤を無駄なく確実に使い切ることができる。
【図面の簡単な説明】
【００１５】
【図１】本発明の第１実施形態に係る揮散装置の斜視図
【図２】本発明の第１実施形態に係る揮散装置を分解した状態を示す斜視図
【図３】本発明の第１実施形態に係る揮散装置に含まれる受皿部の上面図
【図４】図３のＡ−Ａ線断面図
【図５】本発明の第１実施形態に係る揮散装置に含まれる収納容器の斜視図
【図６】本発明の第１実施形態に係る揮散装置に含まれる蓋部の断面図
【図７】本発明の第１実施形態に係る揮散装置の使用状態を示す断面図
【図８】本発明の第２実施形態に係る揮散装置の一部を示す断面図
【発明を実施するための形態】
【００１６】
＜第１実施形態＞
以下に本発明の第１実施形態に係る揮散装置を図面を参照して説明する。図１は第１実施形態に係る揮散装置１の斜視図であり、図２は揮散装置１を分解した状態を示す斜視図である。
【００１７】
揮散装置１は受皿部１０とカバー２０を備え、受皿部１０の上部はカバー２０で覆われている。受皿部１０の上部には収納容器４０と含浸体３０とが設けられている。受皿部１０は支持板１１と周壁１２とで構成され、周壁１２は支持板１１の上面から起立して内部に液状薬剤５０が溜められる。
【００１８】
図３は受皿部１０の上面図であり、図４は図３のＡ−Ａ線断面図である。受皿部１０は保持部１４と挟持部１６と連結部１５とに分けられる。保持部１６は収納容器４０を倒立した状態で保持する。挟持部１６は含浸体３０を挟持して固定する。連結部１５は保持部１４と挟持部１６とを連結する。周壁１２の内側において保持部１４と連結部１４と挟持部１６はそれぞれ連通している。なお、図示しないが支持板１１の上面（受皿部１０の底面）は傾斜して形成され、挟持部１６の底面は保持部１４の底面より低い位置に配される。
【００１９】
保持部１４は収納容器４０の筒状の注出部４３の外形に沿って周壁１２の一部が略円形に形成される。また、保持部１４を形成する周壁１２の内側には支持板１１の上面（受皿部１０の底面）から突出する凸部１４ａが２箇所設けられ、凸部１４ａの間に溝部１４ｂが形成される。溝部１４ｂは連結部１５に連通するとともに溝部１４ｂの底面（支持板１１の上面）から突出部１４ｃが上方に突出している。このとき、凸部１４ａの上面は溝部１４ｂの底面より高く、周壁１２の上端より低い位置に形成される。また、突出部１４ｃの先端は鋭状に形成されるとともに先端が凸部１４ａの上面より上方に延びている。また、突出部１４ｃの先端は保持部１４を形成する周壁１２に囲まれる領域の中心点Ｐからずれて配されている。なお、凸部１４ａを周壁１２から径方向に突出させて形成してもよい。
【００２０】
図５は収納容器４０の斜視図であり、収納容器４０は正立状態において上部に筒状の注出部４３、下部に有底筒状の胴体部４２を有する。注出部４３は胴体部４２より内径が小さく先端に円形の開口部４０ａを有する。開口部４０ａは蓋部４１により塞がれており、収納容器４０の内部に液状薬剤５０を密封する。
【００２１】
図６は蓋部４１を構成する積層体の断面図を示している。蓋部４１はバリア層６１と熱接着性樹脂層６３とを配した積層体により形成される。なお、バリア層６１の上面には未延伸ナイロン等の公知の樹脂を任意に積層してもよい。
【００２２】
バリア層６１は、例えば、外部から収納部１０の内部に水蒸気や酸素が浸入することを防止して収納容器４０の内部の液状薬剤５０が劣化するのを防止する。バリア層６１としては、例えば、アルミニウム、ニッケルなどの金属箔、又は、無機化合物、例えば、酸化珪素、アルミナ等を蒸着した積層体などが挙げられる。
【００２３】
熱接着性樹脂層６３は熱によって溶融して対向する開口部４０ａの周縁と融着して熱接着する。熱接着性樹脂層６３として、例えば、低密度ポリエチレン、中密度ポリエチレン、高密度ポリエチレン等から選ばれた樹脂を使用することができる。好ましいものとしては、直鎖状低密度ポリエチレンを挙げることができる。
【００２４】
液状薬剤５０は揮発性を有する溶液を用いることができ、液状薬剤５０が含有する有効成分として、例えば、芳香成分、消臭成分、除菌成分、抗菌成分、防カビ成分、防腐成分、殺虫成分、精神安定成分等を含有させることができる。これにより、液状薬剤５０が揮発した時に各種有効成分が大気に揮散される。
【００２５】
含浸体３０は液体吸収性を有するものであれば、その材料は特に限定されない。例えば、不織布、フェルト、脱脂綿、ポリエステル、アクリル、ナイロン、ポリオレフィン等を用いることができる。
【００２６】
図７は揮散装置１の使用状態を示す断面図である。使用者が収納容器４０の注出部４３を保持部１４にセットすると、開口部４０ａを塞ぐ蓋部４１に突出部１４ｃの先端が貫通して、蓋部４１の一部を破断する。これにより、収納容器４０の内部に密封されていた液状薬剤５０が開口部４０ａから溝部１４ｂに注入される。
【００２７】
このとき、支持板１１の上面は傾斜して形成され、挟持部１６の底面は保持部１４の底面より低い位置に配されるため、溝部１４ｂに注入された液状薬剤５０は溝部１４ｂから連結部１５を通り、挟持部１６に流入する。挟持部１６に流入した液状薬剤５０は挟持部１６に挟持される含浸体３０に含浸されて毛細管現象により含浸体３０の上部に吸い上げられて液状薬剤５０に含まれる各種有効成分が空気中に揮散する。揮散した有効成分はカバー２０に設けられた窓部２１から揮散装置１の外部に放出される。
【００２８】
なお、突出部１４ｃの先端は保持部１４を形成する周壁１２に囲まれる領域の中心点Ｐからずれて配されている。このため、使用者は保持部１４に挿嵌された収納容器４０を周方向に回転すると蓋部４１に環状の切れ込みが入って蓋部４１が大きく開裂する。これにより、収納容器４０内に多くの空気が送り込まれて受皿部１０に注入される液状薬剤５０の流量が増加する。したがって、収納容器４０の開封から含浸体３０に液状薬剤５０が含浸されるまでの時間が短縮され、使用者の利便性を向上することができる。
【００２９】
また、保持部１４に挿入された収納容器４０の開口部４０ａの周縁は凸部１４ａの上面に当接して係止する。このため、開口部４０ａと溝部１４ｂの底面との間に所定幅ｈだけ隙間が形成される。これにより、受皿部１０に注入されて溜まった液状薬剤５０の水位は溝部１４ｂにおいて開口部４０ａの高さまで上昇して開口部４０ａを塞ぐ。このとき、収納容器４０の内部に入る空気が遮断されて開口部４０ａから溝部１４ｂへの液状薬剤５０の注入が停止される。
【００３０】
含浸体３０に含浸された液状薬剤５０が揮散されると、含浸体３０は受皿部１０に溜まる液状薬剤５０を新たに吸い上げる。これにより、受皿部１０に溜まった液状薬剤５０の水位が低下して開口部４０ａと液状薬剤５０の水面との間に隙間が形成される。この隙間から収納容器４０の内部に空気が送り込まれて収納容器４０から溝部１４ｂへ液状薬剤５０が新たに注入される。そして、液状薬剤５０の水位が開口部４０ａの高さまで上昇したとき液状薬剤５０の注入が再び停止される。これにより、収納容器４０の液状薬剤５０が無くなるまで受皿部１０に液状薬剤５０が常に補充され続ける。したがって、収納容器４０に充填された液状薬剤５０を無駄なく使い切ることができる。また、使用者は使い切った収納容器４０を保持部１４から抜き取って新しい収納容器４０を挿入するのみで新たに液状薬剤５０を補充することができる。このため、収納容器４０の交換作業においても揮散装置１は利便性に優れる。
【００３１】
本実施形態によると、収納容器４０を保持部１４にセットする際に突出部１４ｃが蓋部４１の一部を破断して周壁１２に囲まれた受皿部１０の内部に液状薬剤５０が注入される。注入された液状薬剤５０の揮発により、受皿部１０に溜まった液状薬剤５０の水位が低下して開口部４０ａと液状薬剤５０の水面との間に隙間が形成される。そして、隙間から収納容器４０の内部に空気が送り込まれて液状薬剤５０の水位が開口部４０ａの高さに上昇するまで収納容器４０から液状薬剤５０が注入される。これにより、収納容器４０の液状薬剤５０が無くなるまで受皿部１０に液状薬剤５０が常に補充され続ける。したがって、収納容器４０に充填された液状薬剤５０を無駄なく使い切ることができる。
【００３２】
また、収納容器４０が開口部４０ａを開口する筒状の注出部４３を先端に有し、保持部１４が注出部４３に嵌合する周壁１２と、底面から突出して開口部４０ａの周縁が載置される凸部１４ａとを有する。これにより、開口部４０ａを下方に向けて収納容器４０を倒立させた状態で注出部４３を保持部１４に挿入することにより、開口部４０ａの周縁が凸部１４ａの上面に当接する。これにより、受皿部１０の底面と開口部４０ａとの間に隙間が形成される。
【００３３】
また、蓋部４１はバリア層６１を含む積層体から成るとともに開口部４０ａが円形に形成され、突出部１４ｃの先端は保持部１４を形成する周壁１２に囲まれる領域の中心点Ｐからずれて配されるため、使用者が保持部１４に挿嵌された収納容器４０を周方向に回転すると蓋部１４に環状の切れ込みが入って蓋部４１が大きく開裂する。これにより、収納容器４０内に多くの空気が送り込まれて受皿部１０に注入される液状薬剤５０の流量が増加する。したがって、収納容器４０の開封から含浸体３０に液状薬剤５０が含浸されるまでの時間が短縮される。
【００３４】
また、蓋部４１はバリア層６１を含む積層体から成るとともに突出部１４ｃは先端が尖状に形成されるため、収納容器４０を保持部１４にセットする際、突出部１４ｃの先端が積層体を貫通して蓋部４１を破断する。また、蓋部４１がバリア層６１を含む積層体から成るため、蓋部４１が開封される前、収納容器４０内部に密封された液状薬剤５０の酸化及び劣化が防止される。
【００３５】
また、受皿部１０の底面は傾斜して形成され、含浸体３０の下端が保持部１４の底面より低い位置に配されるため、受皿部１０に注入された液状薬剤５０が含浸体３０側に流れて収納容器４０に充填された液状薬剤５０を無駄なく使い切ることができる。
【００３６】
[第２実施形態]
図８は第２実施形態に係る揮散装置１の一部を示す断面図である。説明の便宜上、前述の図１〜図７に示す第１実施形態と同様の部分には同一の符号を付して説明を省略している。本実施形態の収納容器４０の開口部４０ａは樹脂成型品から成る蓋部４１により塞がれている。蓋部４１は厚み方向に一部薄肉となった薄肉部４１ａが設けられている。収納容器４０の開口部４０ａを保持部１４にセットすると、開口部４０ａを塞ぐ蓋部４１に突出部１４ｃの先端が当たり、蓋部４１が薄肉部４１ａから破断する。これにより、収納容器４０の内部に密封されていた液状薬剤５０が開口部４０ａから溝部１４ｂに注入される。
【００３７】
蓋部４１を樹脂成型品で形成することにより、収納容器４０を強固に蓋栓することができる。なお、突出部１４ｂは径を大きく形成して樹脂成型品の圧力により屈曲しない部材を用いることが好ましい。
【産業上の利用可能性】
【００３８】
本発明は、液状薬剤に含まれた有効成分を室内等の空間に安定的に拡散させることができる揮散装置に利用可能である。
【符号の説明】
【００３９】
１                揮散装置
１０              受皿部
１１              支持板
１２              周壁
１４              保持部
１４ａ            凸部
１４ｂ            溝部
１４ｃ            突出部
１５              連結部
１６              挟持部
２０              カバー
２１              窓部
３０              含浸体
４０              収納容器
４０ａ            開口部
４１              蓋部
４１ａ            薄肉部
４２              胴体部
４３              注出部
５０              液状薬剤
６１              バリア層
６３              熱接着性樹脂層
【図１】
2014014542.tif 000003
【図２】
2014014542.tif 000004
【図３】
2014014542.tif 000005
【図４】
2014014542.tif 000006
【図５】
2014014542.tif 000007
【図６】
2014014542.tif 000008
【図７】
2014014542.tif 000009
【図８】
2014014542.tif 000010